(57)【要約】      （修正有）【課題】建築工事における墨だし作業を正確、安全、かつ迅速に行うことができるレーザー照射・スミ出しシステムを提供する。【解決手段】ＣＡＤ図面の平面図・展開図・天井伏図を入力したパソコンから、レーザー照射器に各データーを送り出しその必要とするポイントの床・壁・天井に直接、レーザーを照射する装置からなる。【選択図】図−１
0003161034.tif 000002
【実用新案登録請求の範囲】
【請求項１】
建築施工現場に於いて要求又は必要とされる、あらゆる墨だし作業を行う工法について、――――ＣＡＤ図面（平面・展開・各伏せ図）を入力したパソコン▲１▼からレーザー照射器▲２▼に各データーを送り出し、その請求ポイント（現場の床・壁・天井）に直接、レーザーを照射する装置からなるレーザー照射・墨だしシステム。
【請求項２】
パソコン▲１▼（タッチパネル式も含む）からの請求ポイントに従い、レーザー照射器本体▲２▼に組み込まれた水平カム及び垂直カム（仰角・俯角）が自動駆動しそのポイントに一点照射するものである。又床面及び壁面に於ける微細な凹凸を感知し，自動修正を図り請求ポイント通り一点照射するもの。
又照射器の駆動についてはパソコン内のソフト組み込みによる。
【請求項３】
パソコンからのポイント指示により（図−２）１−水平回転移動、２−到達角で到達音、３−垂直角（仰角・俯角）回転移動、４−到達角で到達音、５−レーザー照射（自動修正共）の順序からなる装置である
0003161034.tif 000006
【考案の詳細な説明】
【考案による詳細な説明】
【技術分野】
【０００１】本考案は建築・建設工事（外構・工作物を含む）の現場内に於いて、パソコン内に納められた様々なデーター（平面図・展開図・天井伏せ図）を演算処理し、直接現場の床・壁・天井にレーザー光を照射し、罫描き墨出しをする技術に関する。
【背景技術】
【０００２】従来、建築・建設現場では設計図及び施工図に基づき、トランシット・水平器・光波（トータルステーション）・スケール等を使用して墨だし作業をするだけであった。すなわち二人一組で上記機械とスケールを用いて、工事現場毎に、図面を開けての作業であった。
【考案の開示】
【考案が解決しようとする課題】
【０００３】従来から建築・建設現場内での墨だしは、次の工程（工事）にかかる前段階の重要な役割を持つ作業です。
設計図書を現場の状況に合わせ、罫描き又墨出しを行う事は、熟練技術者による大変な労力と時間を費やす必要があった。
又悪条件下での作業のため（暗い・パイプ・サポートの未撤去・床が水溜まり・建築資材の散乱など・・・）多くの問題をかかえ計算ミスや目視の間違いが生じ、作業のやり直しなど正確性の懸念と無駄があった。
【課題を解決すための手段】
【０００４】前記目的を達成するための、説明書
施工現場に於いて、正確且つ安全及びスピードＵＰを計るべく。パソコン内のＣＡＤ図面▲１▼（平面・展開・各伏せ図）をレーザー照射測定器▲２▼より原寸大で照射し罫描き、墨だし作業をする。
前記のような悪条件化に於いても、ＣＡＤ図面として納められているので瞬時に現場々の施工図を開けられ、又本体機器のセット位置も任意であり、（図−４）水溜まり▲４▼や資材▲５▼の散乱にも対処できるものである。
0003161034.tif 000003
【考案の効果】
【０００５】本考案では、何十年にも及ぶ手作業（青図面を原寸大で罫描き、墨だし）をパソコンに入力させたＣＡＤ図面（平面図・展開図・各伏せ図ほか）を使いレーザー光をもって罫描き、墨だしする作業である。よって工事中の悪条件にも係わらず、人的的なミスが少ない。又個々の現場々に於いて施工図面が全て異なりますので、幾枚もファイルできる事も効果的です。
又通常のスケールを使用しないため、目視のミスは勿論、暗い現場にも大いに活躍し大幅なコストダウンに繋がるものである。
【考案を実施するための最良の形態】
【０００６】添付図面（図−１）に従って本考案を実施するための最良の形態について詳細の説明をします。【０００７】図−１は本考案に係わるレーザー照射・墨だしシステムの概略図である。
レーザー照射・墨だしシステムはパソコン（ＣＡＤ図面入力）▲１▼とレーザー照射器（計測器内蔵）▲２▼からで構成されるもので、レーザー照射器▲２▼はＣＡＤ図面（平面図）▲１▼からのポイント指示（マウスもしくはタッチパネル）により水平回転移動をし、その指示水平角到達を認識（到達ブザー）し、次にその断面図からのポイント指示により俯角回転移動、俯角到達点を認識（到達ブザー）しそして、その一点にレーザー▲３▼を照射する機能を有する。
※［解決手段］の記述による。
0003161034.tif 000004
【図面の簡単な説明】
【図−１】本発明のレーザー照射・墨だしシステムの概略図。（Ｐ１・Ｐ４参照）
【図−２】パソコン（ＣＡＤ図面）と照射器本体の関係を説明する説明図。（Ｐ２参照）
【図−３】レーザー照射点（床・壁面）の、凹凸への対処図
【図−４】現場に於ける作業での説明図。（Ｐ３参照）
【符号の説明】
0003161034.tif 000005
【図−１】
0003161034.tif 000007
【図−３】
0003161034.tif 000008
【手続補正書】
【提出日】平成21年12月21日(2009.12.21)
【手続補正１】
【補正対象書類名】実用新案登録請求の範囲
【補正対象項目名】全文
【補正方法】変更
【補正の内容】
【実用新案登録請求の範囲】
【請求項１】
建築施工現場に於いて必要とされる、あらゆる墨だし作業を行う工事について、ＣＡＤ図面の平面図・展開図・天井伏図を入力したパソコンからレーザー照射器に各データーを送り出し、その必要とするポイントの床・壁・天井に直接、レーザーを照射する装置からなる施工現場に於けるレーザー照射・スミ出しシステム。
【請求項２】
パソコンからの要求ポイントの指示に従い、レーザー照射器本体に組み込まれた水平カム及び垂直カムが自動駆動し、そのポイントを一点照射するもので、床面及び壁面・天井面に於ける微細な凹凸を感知し，自動修正を測りながら要求ポイント通り一点を照射する施工現場に於けるレーザー照射・スミ出しシステム。
【請求項３】
パソコンからのポイント指示により１−水平回転移動、２−到達角で到達音、３−垂直角回転移動、４−到達角で到達音、５−レーザー照射の順序からなる施工現場に於けるレーザー照射・スミ出しシステムである。
【手続補正２】
【補正対象書類名】明細書
【補正対象項目名】０００４
【補正方法】変更
【補正の内容】
【０００４】施工現場に於いて、正確且つ安全及びスピードＵＰを計るべく。パソコン内のＣＡＤ図面（平面図・展開図・天井伏図）をレーザー照射測定器より原寸大で照射し罫描き、墨だし作業をする。
前記のような悪条件化に於いても、ＣＡＤ図面として納められているので瞬時に現場々の施工図を開けられ、又本体機器のセット位置も任意であり、水溜まりや資材の散乱にも対処できるものである。
【手続補正３】
【補正対象書類名】明細書
【補正対象項目名】０００７
【補正方法】変更
【補正の内容】
【０００７】レーザー照射・スミ出しシステムはＣＡＤ図面を入力したパソコンとレーザー照射器からで構成されるもので、例えば平面に於けるスミ出し作業の場合、レーザー照射器はＣＡＤ図面からのポイント指示により水平回転移動をし、その指示による水平角到達を認識、次にその断面図からのポイント指示により俯角回転移動、その俯角を認識し、そしてＣＡＤ図面の指示ポイント一点に、レーザーを照射する機能を有する。
【手続補正４】
【補正対象書類名】図面
【補正対象項目名】全図
【補正方法】変更
【補正の内容】
【図−１】
0003161034.tif 000009
【図−２】
0003161034.tif 000010
【図−３】
0003161034.tif 000011
【図−４】
0003161034.tif 000012
【手続補正書】
【提出日】平成22年4月26日(2010.4.26)
【手続補正１】
【補正対象書類名】実用新案登録請求の範囲
【補正対象項目名】全文
【補正方法】変更
【補正の内容】
【実用新案登録請求の範囲】
【請求項１】
建築施工現場に於いて、必要とするあらゆる墨だし作業を行う工事について、ＣＡＤ図面の平面図・展開図・天井伏図を入力したパソコンから、レーザー照射器に各データーを送り出しその必要とするポイントの床・壁・天井に直接、レーザーを照射する装置からなる施工現場に於けるレーザー照射・スミ出しシステム。